(57)【特許請求の範囲】
【請求項１】
吸気マニホールドのサージタンクに取り付けられるスロットルチャンバーを、シリンダヘッドに取り付けられるサーモスタット内蔵のサーモハウジング側に配設し、該サーモハウジングから延びるサポート管で前記スロットルチャンバーを支持するとともに、該サポート管内には、前記サーモハウジングからの温水をスロットルチャンバーに送る温水路を形成したことを特徴とするスロットルチャンバー支持構造。
【請求項２】
前記サポート管内には、前記サーモスタットの上流側と連通する温水往路と、サーモスタットの下流側と連通する温水復路が少なくとも一対形成されていることを特徴とする請求項１に記載のスロットルチャンバー支持構造。
【請求項３】
前記サポート管の、スロットルチャンバー取付用のフランジ部には、前記温水往路と温水復路が連通する凹部が形成されていることを特徴とする請求項２に記載のスロットルチャンバー支持構造。
【発明の詳細な説明】
【０００１】
【産業上の利用分野】
この発明は、スロットルチャンバーの支持構造に関するものである。
【０００２】
【従来の技術及びその課題】
従来、図６の平面構成図で、また図７の側面構成図で示すように、内燃機関のシリンダヘッド１には吸気マニホールド２が取り付けられており、吸気マニホールド２は、各気筒分の複数のブランチ管３，３とサージタンク４で構成されており、サージタンク４の上流端には、絞り弁を内蔵したスロットルチャンバー５がフランジ部５ａを介して取り付けられている。
また、前記サージタンク４には、シリンダヘッド１側からブローバイホースＨが連通接続されており、シリンダヘッド１内で発生したブローバイガスを、このブローバイホースＨを通しサージタンク４に導くように構成されている。
【０００３】
ブローバイホースＨからサージタンク４に流されるブローバイガス中には、燃焼ガス中の水分，ＮＯ，ＮＯ2 ，ＳＯ2 などの成分が含まれ、さらにエンジンオイルのミスト分も含まれており、ブローバイガスは冷えると粘着状の物質となり、サージタンク４の底部に付着し、さらには、各気筒の吹き返しとか吸気脈動などにより、ブローバイガスは前記スロットルチャンバー５の周辺まで戻されて、スロットルチャンバー５の底部にも付着するものである。
この粘着状の物質は温度が高ければその粘性が低くなり、吸気の流れに乗せてシリンダヘッド１内へ導かれるが、冷えている場合には、スロットルチャンバー５の底部に貼り付いたまま動かず、次々と堆積してしまい、スロットルチャンバー５内の絞り弁の機能を発揮できなくなる事態が生ずるため、スロットルチャンバー５の温度を下げないように、スロットルチャンバー５にはエンジンからの温水を導くように構成されている。
即ち、スロットルチャンバー５の底部に付着しているブローバイガスの凝縮物を温水で加熱して、粘度を下げ、シリンダヘッド１へ戻すように、サーモハウジング６から温水フィードホース５１がスロットルチャンバー５に接続され、また、スロットルチャンバー５から温水リターンホース５２がサーモハウジング６に接続されて、サーモハウジング６内から温水が温水フィードホース５１を通ってスロットルチャンバー５に導かれ、さらに温水リターンホース５２を通ってサーモハウジング６に戻されるように構成されている。
【０００４】
このシリンダヘッド１の側面に取り付けられたサーモハウジング６内には、サーモスタット７が内蔵されており、内部のサーモスタット７が閉状態の場合の断面図を図８に示し、また、サーモスタット７の開状態を図９の断面拡大図で示し説明すると、図８におけるサーモスタット７の閉状態では、エンジンの各部を冷却したエンジンからの温水は、サーモハウジング６内のサーモスタット７の上流側のＡ室に入り、サーモスタット７の下部から下流側のＢ室に導かれてエンジンのウォーターポンプ側へと送られるものであり、この時に、Ａ室とＢ室との間には水頭圧差が生じているために、Ａ室に開口されている温水フィードホース５１から、温水が温水フィードホース５１を通ってスロットルチャンバー５内に流され、スロットルチャンバー５を加熱して、温水リターンホース５２を通り、再びＢ室に戻されるのである。
【０００５】
また、図９のようにサーモスタット７が開状態では、エンジンの各部を冷却した温水はＡ室から出口管９を通りラジエターへ送られ、ラジエターを経て入口管８からＢ室に戻されてウォーターポンプへと送られるものであり、この時にも、Ａ室とＢ室との間には水頭圧差が生じているために、スロットルチャンバー５へ温水が流されるのである。
【０００６】
なお、前記図６及び図７において、スロットルチャンバー５とサージタンク４の部分はブランチ管３に対して質量が大きく、また、オーバーハングが大きいために、エンジンの運転中に振動が大きくなるため、スロットルチャンバー５或いはサージタンク４の部分はサポート部材５３を設けて支持固定する必要があった。
【０００７】
このように従来の構造では、スロットルチャンバー５へ温水を送るホース５１，５２が別部材で構成されており、部品点数が多く、高価で、外部配管であることから、周辺部品との干渉が生じる虞れがあり、レイアウトの自由度に乏しいという問題点があった。
また、従来では、サポート部材５３を別に設ける必要があり、部品点数が多くなり、レイアウトの自由度も乏しいという問題点があった。
【０００８】
【課題を解決するための手段】
本発明は上記従来の問題点に鑑み案出したものであって、部品点数を少なくコンパクトに形成することができ、レイアウトの自由度が増大するスロットルチャンバー支持構造を提供せんことを目的とし、その第１の要旨は、吸気マニホールドのサージタンクに取り付けられるスロットルチャンバーを、シリンダヘッドに取り付けられるサーモスタット内蔵のサーモハウジング側に配設し、該サーモハウジングから延びるサポート管で前記スロットルチャンバーを支持するとともに、該サポート管内には、前記サーモハウジングからの温水をスロットルチャンバーに送る温水路を形成したことである。
また、第２の要旨は、前記サポート管内には、前記サーモスタットの上流側と連通する温水往路と、サーモスタットの下流側と連通する温水復路が少なくとも一対形成されていることである。
また、第３の要旨は、前記サポート管の、スロットルチャンバー取付用のフランジ部には、前記温水往路と温水復路が連通する凹部が形成されていることである。
【０００９】
【実施例】
以下、本発明の実施例を図面に基づいて説明する。
図１は、本例の内燃機関の平面構成図であり、また図２は、その側面構成図である。なお、従来と同一の機能を有する部材については、前記図６〜図８で用いた符号と同一符号を用いて説明する。
【００１０】
シリンダヘッド１に取り付けられる吸気マニホールド２の、ブランチ管３，３，３の上流のサージタンク４は、本例ではシリンダヘッド１の側面に取り付けられるサーモハウジング６側に寄った位置に配置されており、このサージタンク４にはフランジ部５ａを介して、絞り弁を内蔵したスロットルチャンバー５が取り付けられている。
【００１１】
このスロットルチャンバー５は、図に示すように、シリンダヘッド１に取り付けられたサーモハウジング６の上部に配置されており、本例では、サーモハウジング６には、上側へ延びてサポート管１０が一体形成されており、図３の平面拡大図で、また図４の側面拡大図で示すように、サーモハウジング６内のサーモスタット７の上流側のＡ室に連通する温水往路１０ａを内部に形成した傾斜状のサポート管１０Ａと、サーモハウジング６内のサーモスタット７の下流側のＢ室と連通する温水復路１０ｂを内部に形成した直立状のサポート１０Ｂが設けられ、サポート管１０Ａと１０Ｂは、その上端側が取付フランジ部１１で連結されており、この取付フランジ部１１上に、スロットルチャンバー５をボルト１２，１２で取り付けできるように構成されており、取付フランジ部１１には、前記温水往路１０ａの上端と温水復路１０ｂの上端が連通状となる横長状に凹んだ連通凹部１１ａが形成されている。なお、図４の８ａは、入口管８の取付面である。
【００１２】
なお、サーモハウジング６内に内蔵されたサーモスタット７の作用については、前記図８及び図９に示したものと同様であり、サーモスタット７の上流側のＡ室と下流側のＢ室との水頭圧差により、Ａ室から温水往路１０ａを通り温水が送り出されることとなり、取付フランジ部１１にスロットルチャンバー５が取り付けられた状態では、連通凹部１１ａがスロットルチャンバー５の底部に整合され、温水往路１０ａからの温水が連通凹部１１ａ内に流れ込むことにより、良好にスロットルチャンバー５の底部を温水で加熱し、スロットルチャンバー５内部の底側に付着したブローバイガス凝縮物の粘度を下げて、ブローバイガス凝縮物を良好にシリンダヘッド１側へ戻すことができるものとなる。
【００１３】
なお、連通凹部１１ａから温水は温水復路１０ｂを通りサーモハウジング６のＢ室に戻されるものであり、スロットルチャンバー５には連続して温水が供給されて加熱されるものとなり、ブローバイガスの凝縮物が堆積することが良好に防がれて、スロットルチャンバー５内部の絞り弁は良好に機能を発揮することができるものとなる。
しかも本例では、温水往路１０ａ及び温水復路１０ｂは、それぞれサポート管１０Ａ，１０Ｂ内に形成されており、サポート管１０Ａ，１０Ｂは、サーモハウジング６とスロットルチャンバー５を一体化させることができて、スロットルチャンバー５を強固に支持でき、従来のようなサポート部材５３は不要となり、また、従来のような温水フィードホース５１，温水リターンホース５２を設ける必要もなく、部品点数が少なくなり、全体をコンパクトに安価に形成することができるものとなる。
【００１４】
なお、スロットルチャンバー５の内部に、温水を通す通路が形成されている場合には、図５の平面図に示すように、スロットルチャンバー５を取り付ける取付フランジ部１１には、凹部１１ａの代わりに、温水往路１０ａの上端が開口する往路開口１１ｂと、温水復路１０ｂの上端が開口する復路開口１１ｃを別々に開口形成させておくことができ、この往路開口１１ｂを通しスロットルチャンバー５内部の温水通路に温水を通してスロットルチャンバー内を加熱し、復路開口１１ｃから温水復路１０ｂに温水を戻すように構成することができるものである。
【００１５】
なお、本例では、スロットルチャンバー５を支持するためにサーモハウジング６側から一対のサポート管１０Ａ，１０Ｂを延ばして、スロットルチャンバー５の底側に連結するように構成したものを例示しているが、サポート管は２本に限らず、４本，６本等の複数本で構成することもでき、また、さらには、サポート管１０の一部をサージタンク４まで延ばして、サージタンク４を支持できるように構成することもできる。
なお、１本のサポート管１０内に往路１０ａと復路１０ｂを形成させるような構成であっても良い。
【００１６】
【発明の効果】
本発明のスロットルチャンバー支持構造は、吸気マニホールドのサージタンクに取り付けられるスロットルチャンバーを、シリンダヘッドに取り付けられるサーモスタット内蔵のサーモハウジング側に配設し、サーモハウジングから延びるサポート管でスロットルチャンバーを支持するとともに、サポート管内には、サーモハウジングからの温水をスロットルチャンバーに送る温水路を形成したことにより、従来のようなサポート部材を省略して、サーモハウジングから延びるサポート管でスロットルチャンバーを強固に支持することができ、しかも、サポート管内に形成されている温水路に、サーモハウジング側から温水をスロットルチャンバーに流して、スロットルチャンバーを良好に加熱することができ、スロットルチャンバー内部の底側に付着するブローバイガスの凝縮物等の粘度を下げて、良好にエンジン側へ戻すことができ、凝縮物の付着が防がれて、スロットルチャンバー内の絞り弁の機能を良好に発揮できるものとなる。従って、従来よりも部品点数が少なく、全体的にコンパクトに安価に形成することができ、レイアウトの自由度も増大するものとなる。
【００１７】
また、サポート管内には、サーモスタットの上流側と連通する温水往路と、サーモスタットの下流側と連通する温水復路が少なくとも一対形成されていることにより、サーモスタットの上流側から温水往路を通し、良好にスロットルチャンバーに温水を流し、また、温水復路を通して温水をサーモスタットの下流側に良好に戻すことができるものとなる。
【００１８】
また、サポート管の、スロットルチャンバー取付用のフランジ部には、温水往路と温水復路が連通する凹部が形成されていることにより、サーモハウジングからの温水が、凹部に入ることにより、スロットルチャンバーの底側が加熱されて、スロットルチャンバー内部の底側に付着するブローバイガスの凝縮物を良好に加熱することができるものとなり、また、その後、凹部から復路を通し、温水をサーモハウジングに良好に戻すことができるものとなる。
【図面の簡単な説明】
【図１】内燃機関の平面構成図である。
【図２】図１の側面構成図である。
【図３】図１及び図２におけるサーモハウジングの拡大平面構成図である。
【図４】図３の拡大側面構成図である。
【図５】別例を示すスロットルチャンバー取付フランジ部の平面拡大構成図である。
【図６】従来の内燃機関の平面構成図である。
【図７】図６の側面構成図である。
【図８】従来のサーモハウジングの、サーモスタット閉状態の断面拡大構成図である。
【図９】サーモスタット開状態のサーモハウジングの拡大断面構成図である。
【符号の説明】
１  シリンダヘッド
２  吸気マニホールド
３  ブランチ管
４  サージタンク
５  スロットルチャンバー
５ａ  フランジ部
６  サーモハウジング
７  サーモスタット
１０，１０Ａ，１０Ｂ  サポート管
１０ａ  温水往路
１０ｂ  温水復路
１１  スロットルチャンバー取付フランジ部
１１ａ  連通凹部
１１ｂ  往路開口
１１ｃ  復路開口
【図１】
0003697606.tif 000002
【図２】
0003697606.tif 000003
【図３】
0003697606.tif 000004
【図４】
0003697606.tif 000005
【図５】
0003697606.tif 000006
【図６】
0003697606.tif 000007
【図７】
0003697606.tif 000008
【図８】
0003697606.tif 000009
【図９】
0003697606.tif 000010